(57)【要約】【課題】ある国の教育制度や学校制度等を年齢に沿って表す学校系統図を見易く、且つ分りやすくユーザに提示することが可能な学校系統図表示プログラム、学校系統図表示処理装置、学校系統図表示処理方法、及び学校系統図表示媒体を提供する。【解決手段】学校系統図表示装置Ｓは、例えばユーザにより選択された国に対応する対応付けデータを参照して、複数の年齢値を昇順または降順で画面上の縦方向に並べて表示させると共に、当該年齢値に対応付けられた各学年値及び各教育制度名を画面上の当該年齢値に対応する位置に表示させ、さらに、各年齢値に対応付けられた各学校制度名が配置される各平面図を画面上の当該年齢値に対応する位置に表示させる。このとき、学校系統図表示装置Ｓは、画面上の縦方向と直交する横方向における平面図の寸法であって、学校制度名毎且つ年齢値毎に対応付けられた就学者数または就学者数の割合に応じた寸法で各学校制度名を配置する各平面図を表示させる。【選択図】図３
2016218669.tif 000002
【特許請求の範囲】
【請求項１】
コンピュータを、
年齢を示す異なる複数の年齢値と、教育制度を示す異なる複数の教育制度名と、学校制度を示す複数の学校制度名とを前記年齢値毎に対応付け、さらに、前記学校制度の就学者数または就学者数の割合を前記学校制度名毎且つ前記年齢値毎に対応付けた対応付けデータを記憶する記憶手段と、
前記対応付けデータを参照して、前記複数の年齢値を昇順または降順で画面上の第１方向に並べて表示させると共に、前記年齢値に対応付けられた各前記教育制度名を前記画面上の当該年齢値に対応する位置に表示させ、且つ前記年齢値に対応付けられた各前記学校制度名が配置される各平面図を前記画面上の当該年齢値に対応する位置に表示させる表示制御手段として機能させる学校系統図表示プログラムであって、
前記表示制御手段は、前記画面上の第１方向と直交する第２方向における前記平面図の寸法であって、前記学校制度名毎且つ前記年齢値毎に対応付けられた前記就学者数または就学者数の割合に応じた寸法で各前記学校制度名を配置する各平面図を表示させることを特徴とする学校系統図表示プログラム。
【請求項２】
前記表示制御手段は、前記表示された複数の年齢値から何れかの年齢値がユーザにより選択された場合に、当該選択された年齢値に対応付けられた前記就学者数または就学者数の割合を表示させることを特徴とする請求項１に記載の学校系統図表示プログラム。
【請求項３】
前記表示制御手段は、前記表示された複数の平面図から何れかの平面図がユーザにより選択された場合に、当該選択された平面図に配置された前記学校制度名に対して前記第１方向に連続する他の前記学校制度名、または当該学校制度名が配置された平面図を強調表示させることを特徴とする請求項１または２に記載の学校系統図表示プログラム。
【請求項４】
前記対応付けデータには、学年を示す異なる複数の学年値を前記年齢値毎に対応付けたデータが含まれており、
前記表示制御手段は、前記年齢値に対応付けられた各前記学年値を前記画面上の当該年齢値に対応する位置に表示させることを特徴とする請求項１乃至３の何れか一項に記載の学校系統図表示プログラム。
【請求項５】
前記表示制御手段は、前記表示された複数の学年値から何れかの学年値がユーザにより選択された場合に、当該選択された学年値に対応する前記学校制度名、または当該学校制度名が配置された平面図を強調表示させることを特徴とする請求項４に記載の学校系統図表示プログラム。
【請求項６】
前記対応付けデータは、教育課程を示す複数の教育課程名を前記学校制度名毎に対応付けたデータが含まれており、
前記表示制御手段は、前記表示された複数の学校制度名から何れかの学校制度名がユーザにより選択された場合に、当該選択された学校制度名に対応付けられた教育課程名を表示させることを特徴とする請求項１乃至５の何れか一項に記載の学校系統図表示プログラム。
【請求項７】
前記対応付けデータは、義務教育であるか否かを年齢値毎に対応付けたデータが含まれており、
前記表示制御手段は、前記年齢値に前記義務教育であることが対応付けられている場合、当該年齢値に対応付けられた前記学校制度名を配置する平面図の全部または一部を強調表示させることを特徴とする請求項１乃至６の何れか一項に記載の学校系統図表示プログラム。
【請求項８】
前記記憶手段は、前記対応付けデータを複数の国毎に記憶しており、
前記表示制御手段は、複数の国名を選択可能に前記画面に表示させ、前記ユーザにより選択された国名に対応する前記対応付けデータを参照して、前記年齢値、前記教育制度名、及び前記学校制度名が配置される平面図を表示させると共に、前記選択された国名を表示させることを特徴とする請求項１乃至７の何れか一項に記載の学校系統図表示プログラム。
【請求項９】
前記表示制御手段は、前記表示された複数の年齢値から何れかの年齢値がユーザにより選択された場合に、前記選択された国名に対応する前記対応付けデータと、当該国名とは異なる他の国名に対応する前記対応付けデータとを参照して、前記選択された国名と、前記選択された国名とは異なる他の国名とのそれぞれに対応し、且つ前記年齢値に対応付けられた前記就学者数または就学者数の割合を比較可能に表示させることを特徴とする請求項８に記載の学校系統図表示プログラム。
【請求項１０】
前記表示制御手段は、前記表示された複数の平面図から何れかの平面図がユーザにより選択された場合に、前記選択された国名に対応する前記対応付けデータと当該国名とは異なる他の国名に対応する前記対応付けデータとを参照して、前記選択された国名と、前記選択された国名とは異なる他の国名とのそれぞれに対応し、且つ前記選択された平面図に配置された前記学校制度名を比較可能に表示させることを特徴とする請求項８に記載の学校系統図表示プログラム。
【請求項１１】
前記表示制御手段は、前記表示された複数の学年値から何れかの学年値がユーザにより選択された場合に、前記選択された国名に対応する前記対応付けデータと、当該国名とは異なる他の国名に対応する前記対応付けデータとを参照して、前記選択された国名と、前記選択された国名とは異なる他の国名とのそれぞれに対応し、且つ前記選択された学年値に対応する前記学校制度名を比較可能に表示させることを特徴とする請求項８に記載の学校系統図表示プログラム。
【請求項１２】
前記表示制御手段は、前記表示された複数の学校制度名から何れかの学校制度名がユーザにより選択された場合に、前記選択された国名に対応する前記対応付けデータと、当該国名とは異なる他の国名に対応する前記対応付けデータとを参照して、前記選択された国名と、前記選択された国名とは異なる他の国名とのそれぞれに対応し、且つ前記選択された学校制度名に対応付けられた教育課程名を比較可能に表示させることを特徴とする請求項８に記載の学校系統図表示プログラム。
【請求項１３】
年齢を示す異なる複数の年齢値と、教育制度を示す異なる複数の教育制度名と、学校制度を示す複数の学校制度名とを前記年齢値毎に対応付け、さらに、前記学校制度の就学者数または就学者数の割合を前記学校制度名毎且つ前記年齢値毎に対応付けた対応付けデータを記憶する記憶手段と、
前記対応付けデータを参照して、前記複数の年齢値を昇順または降順で画面上の第１方向に並べて表示させると共に、前記年齢値に対応付けられた各前記教育制度名を前記画面上の当該年齢値に対応する位置に表示させ、且つ前記年齢値に対応付けられた各前記学校制度名が配置される各平面図を前記画面上の当該年齢値に対応する位置に表示させる表示制御手段と、
を備え、
前記表示制御手段は、前記画面上の第１方向と直交する第２方向における前記平面図の寸法であって、前記学校制度名毎且つ前記年齢値毎に対応付けられた前記就学者数または就学者数の割合に応じた寸法で各前記学校制度名を配置する各平面図を表示させることを特徴とする学校系統図表示処理装置。
【請求項１４】
コンピュータにより実行される学校系統図表示処理方法であって、
年齢を示す異なる複数の年齢値と、教育制度を示す異なる複数の教育制度名と、学校制度を示す複数の学校制度名とを前記年齢値毎に対応付け、さらに、前記学校制度の就学者数または就学者数の割合を前記学校制度名毎且つ前記年齢値毎に対応付けた対応付けデータを記憶手段に記憶するステップと、
前記対応付けデータを参照して、前記複数の年齢値を昇順または降順で画面上の第１方向に並べて表示させると共に、前記年齢値に対応付けられた各前記教育制度名を前記画面上の当該年齢値に対応する位置に表示させ、且つ前記年齢値に対応付けられた各前記学校制度名が配置される各平面図を前記画面上の当該年齢値に対応する位置に表示させる表示制御ステップと、
を含み、
前記表示制御ステップにおいては、前記画面上の第１方向と直交する第２方向における前記平面図の寸法であって、前記学校制度名毎且つ前記年齢値毎に対応付けられた前記就学者数または就学者数の割合に応じた寸法で各前記学校制度名を配置する各平面図を表示させることを特徴とする学校系統図表示処理方法。
【請求項１５】
複数の年齢値を昇順または降順で第１方向に並べて表示すると共に、前記年齢値に対応付けられた各教育制度名を当該年齢値に対応する位置に表示し、且つ前記年齢値に対応付けられた各学校制度名が配置される各平面図を表示し、前記第１方向と直交する第２方向における前記平面図の寸法であって、前記学校制度名に対応付けられた就学者数または就学者数の割合に応じた寸法で前記平面図を表示することを特徴とする学校系統図表示媒体。
【発明の詳細な説明】
【技術分野】
【０００１】
本発明は、国の学校系統を分り易く表示可能な装置及びプログラム等の技術分野に関する。
【背景技術】
【０００２】
従来から、幼稚園、保育園、小学校、中学校、高校、大学、専門学校、塾その他、各種教育機関における教育活動を支援する学習装置が種々提案されている。例えば、特許文献１には、出題カードと、該出題カードを使用して出題設定及び解答入力操作、正答・誤答に対する応答表示する入出力本体とからなる学習装置が開示されている。このような学習装置を利用するユーザは、自国（例えば日本）の教育制度に応じた学習を効率良く行うことができる。
【先行技術文献】
【特許文献】
【０００３】
【特許文献１】特許第２６９１１１２号公報
【発明の概要】
【発明が解決しようとする課題】
【０００４】
しかしながら、従来、ユーザの自国以外の国の教育制度や学校制度等を年齢に沿って表す学校系統図を分り易く表示する装置や媒体は知られていなかった。例えば、ある国の人が他の国に移住するなどの場合において、移住先の国の教育制度や学校制度等を年齢に沿って表す学校系統図を見易く、分りやすく提示でき、また、国毎の比較を簡易に行わせることが可能な装置や媒体が望まれていた。
【０００５】
そこで、本発明は、以上の点に鑑みてなされたものであり、ある国の教育制度や学校制度等を年齢に沿って表す学校系統図を見易く、且つ分りやすくユーザに提示することが可能な学校系統図表示プログラム、学校系統図表示処理装置、学校系統図表示処理方法、及び学校系統図表示媒体を提供することを目的とする。
【課題を解決するための手段】
【０００６】
上記課題を解決するために、請求項１に記載の発明は、コンピュータを、年齢を示す異なる複数の年齢値と、教育制度を示す異なる複数の教育制度名と、学校制度を示す複数の学校制度名とを前記年齢値毎に対応付け、さらに、前記学校制度の就学者数または就学者数の割合を前記学校制度名毎且つ前記年齢値毎に対応付けた対応付けデータを記憶する記憶手段と、前記対応付けデータを参照して、前記複数の年齢値を昇順または降順で画面上の第１方向に並べて表示させると共に、前記年齢値に対応付けられた各前記教育制度名を前記画面上の当該年齢値に対応する位置に表示させ、且つ前記年齢値に対応付けられた各前記学校制度名が配置される各平面図を前記画面上の当該年齢値に対応する位置に表示させる表示制御手段として機能させる学校系統図表示プログラムであって、前記表示制御手段は、前記画面上の第１方向と直交する第２方向における前記平面図の寸法であって、前記学校制度名毎且つ前記年齢値毎に対応付けられた前記就学者数または就学者数の割合に応じた寸法で各前記学校制度名を配置する各平面図を表示させることを特徴とする。
【０００７】
請求項２に記載の発明は、請求項１に記載の学校系統図表示プログラムにおいて、前記表示制御手段は、前記表示された複数の年齢値から何れかの年齢値がユーザにより選択された場合に、当該選択された年齢値に対応付けられた前記就学者数または就学者数の割合を表示させることを特徴とする。
【０００８】
請求項３に記載の発明は、請求項１または２に記載の学校系統図表示プログラムにおいて、前記表示制御手段は、前記表示された複数の平面図から何れかの平面図がユーザにより選択された場合に、当該選択された平面図に配置された前記学校制度名に対して前記第１方向に連続する他の前記学校制度名、または当該学校制度名が配置された平面図を強調表示させることを特徴とする。
【０００９】
請求項４に記載の発明は、請求項１乃至３の何れか一項に記載の学校系統図表示プログラムにおいて、前記対応付けデータには、学年を示す異なる複数の学年値を前記年齢値毎に対応付けたデータが含まれており、前記表示制御手段は、前記年齢値に対応付けられた各前記学年値を前記画面上の当該年齢値に対応する位置に表示させることを特徴とする。
【００１０】
請求項５に記載の発明は、請求項４に記載の学校系統図表示プログラムにおいて、前記表示制御手段は、前記表示された複数の学年値から何れかの学年値がユーザにより選択された場合に、当該選択された学年値に対応する前記学校制度名、または当該学校制度名が配置された平面図を強調表示させることを特徴とする。
【００１１】
請求項６に記載の発明は、請求項１乃至５の何れか一項に記載の学校系統図表示プログラムにおいて、前記対応付けデータは、教育課程を示す複数の教育課程名を前記学校制度名毎に対応付けたデータが含まれており、前記表示制御手段は、前記表示された複数の学校制度名から何れかの学校制度名がユーザにより選択された場合に、当該選択された学校制度名に対応付けられた教育課程名を表示させることを特徴とする。
【００１２】
請求項７に記載の発明は、請求項１乃至６の何れか一項に記載の学校系統図表示プログラムにおいて、前記対応付けデータは、義務教育であるか否かを年齢値毎に対応付けたデータが含まれており、前記表示制御手段は、前記年齢値に前記義務教育であることが対応付けられている場合、当該年齢値に対応付けられた前記学校制度名を配置する平面図の全部または一部を強調表示させることを特徴とする。
【００１３】
請求項８に記載の発明は、請求項１乃至７の何れか一項に記載の学校系統図表示プログラムにおいて、前記記憶手段は、前記対応付けデータを複数の国毎に記憶しており、前記表示制御手段は、複数の国名を選択可能に前記画面に表示させ、前記ユーザにより選択された国名に対応する前記対応付けデータを参照して、前記年齢値、前記教育制度名、及び前記学校制度名が配置される平面図を表示させると共に、前記選択された国名を表示させることを特徴とする。
【００１４】
請求項９に記載の発明は、請求項８に記載の学校系統図表示プログラムにおいて、前記表示制御手段は、前記表示された複数の年齢値から何れかの年齢値がユーザにより選択された場合に、前記選択された国名に対応する前記対応付けデータと、当該国名とは異なる他の国名に対応する前記対応付けデータとを参照して、前記選択された国名と、前記選択された国名とは異なる他の国名とのそれぞれに対応し、且つ前記年齢値に対応付けられた前記就学者数または就学者数の割合を比較可能に表示させることを特徴とする。
【００１５】
請求項１０に記載の発明は、請求項８に記載の学校系統図表示プログラムにおいて、前記表示制御手段は、前記表示された複数の平面図から何れかの平面図がユーザにより選択された場合に、前記選択された国名に対応する前記対応付けデータと当該国名とは異なる他の国名に対応する前記対応付けデータとを参照して、前記選択された国名と、前記選択された国名とは異なる他の国名とのそれぞれに対応し、且つ前記選択された平面図に配置された前記学校制度名を比較可能に表示させることを特徴とする。
【００１６】
請求項１１に記載の発明は、請求項８に記載の学校系統図表示プログラムにおいて、前記表示制御手段は、前記表示された複数の学年値から何れかの学年値がユーザにより選択された場合に、前記選択された国名に対応する前記対応付けデータと、当該国名とは異なる他の国名に対応する前記対応付けデータとを参照して、前記選択された国名と、前記選択された国名とは異なる他の国名とのそれぞれに対応し、且つ前記選択された学年値に対応する前記学校制度名を比較可能に表示させることを特徴とする。
【００１７】
請求項１２に記載の発明は、請求項８に記載の学校系統図表示プログラムにおいて、前記表示制御手段は、前記表示された複数の学校制度名から何れかの学校制度名がユーザにより選択された場合に、前記選択された国名に対応する前記対応付けデータと、当該国名とは異なる他の国名に対応する前記対応付けデータとを参照して、前記選択された国名と、前記選択された国名とは異なる他の国名とのそれぞれに対応し、且つ前記選択された学校制度名に対応付けられた教育課程名を比較可能に表示させることを特徴とする。
【００１８】
請求項１３に記載の発明は、年齢を示す異なる複数の年齢値と、教育制度を示す異なる複数の教育制度名と、学校制度を示す複数の学校制度名とを前記年齢値毎に対応付け、さらに、前記学校制度の就学者数または就学者数の割合を前記学校制度名毎且つ前記年齢値毎に対応付けた対応付けデータを記憶する記憶手段と、前記対応付けデータを参照して、前記複数の年齢値を昇順または降順で画面上の第１方向に並べて表示させると共に、前記年齢値に対応付けられた各前記教育制度名を前記画面上の当該年齢値に対応する位置に表示させ、且つ前記年齢値に対応付けられた各前記学校制度名が配置される各平面図を前記画面上の当該年齢値に対応する位置に表示させる表示制御手段と、を備え、前記表示制御手段は、前記画面上の第１方向と直交する第２方向における前記平面図の寸法であって、前記学校制度名毎且つ前記年齢値毎に対応付けられた前記就学者数または就学者数の割合に応じた寸法で各前記学校制度名を配置する各平面図を表示させることを特徴とする。
【００１９】
請求項１４に記載の発明は、コンピュータにより実行される学校系統図表示処理方法であって、年齢を示す異なる複数の年齢値と、教育制度を示す異なる複数の教育制度名と、学校制度を示す複数の学校制度名とを前記年齢値毎に対応付け、さらに、前記学校制度の就学者数または就学者数の割合を前記学校制度名毎且つ前記年齢値毎に対応付けた対応付けデータを記憶手段に記憶するステップと、前記対応付けデータを参照して、前記複数の年齢値を昇順または降順で画面上の第１方向に並べて表示させると共に、前記年齢値に対応付けられた各前記教育制度名を前記画面上の当該年齢値に対応する位置に表示させ、且つ前記年齢値に対応付けられた各前記学校制度名が配置される各平面図を前記画面上の当該年齢値に対応する位置に表示させる表示制御ステップと、を含み、前記表示制御ステップにおいては、前記画面上の第１方向と直交する第２方向における前記平面図の寸法であって、前記学校制度名毎且つ前記年齢値毎に対応付けられた前記就学者数または就学者数の割合に応じた寸法で各前記学校制度名を配置する各平面図を表示させることを特徴とする。
【００２０】
請求項１５に記載の発明は、複数の年齢値を昇順または降順で第１方向に並べて表示すると共に、前記年齢値に対応付けられた各教育制度名を当該年齢値に対応する位置に表示し、且つ前記年齢値に対応付けられた各学校制度名が配置される各平面図を表示し、前記第１方向と直交する第２方向における前記平面図の寸法であって、前記学校制度名に対応付けられた就学者数または就学者数の割合に応じた寸法で前記平面図を表示することを特徴とする。
【発明の効果】
【００２１】
本発明によれば、ある国の教育制度や学校制度等を年齢に沿って表す学校系統図を見易く、且つ分りやすくユーザに提示することができる。
【図面の簡単な説明】
【００２２】
【図１】本実施形態に係る学校系統図表示装置Ｓの概要構成例を示す図である。
【図２】学校系統図データベース４１に登録された対応付けデータの一例を示す図である。
【図３】Ａ国に対応する対応付けデータに基づき画面に表示された学校系統図の一例を示す図である。
【図４】Ｂ国に対応する対応付けデータに基づき画面に表示された学校系統図の一例を示す図である。
【図５】制御部５により行われる学校系統図表示処理の一例を示すフローチャートである。
【発明を実施するための形態】
【００２３】
以下、本発明の実施形態を図面に基づいて説明する。なお、以下に説明する実施形態は、本発明を学校系統図表示装置に適用した場合の実施形態である。
【００２４】
［１. 学校系統図表示装置Ｓの構成及び機能］
初めに、図１を参照して、本発明の実施形態に係る学校系統図表示装置Ｓの構成及び機能について説明する。図１は、本実施形態に係る学校系統図表示装置Ｓの概要構成例を示す図である。なお、学校系統図表示装置Ｓの例として、パーソナルコンピュータ、携帯型情報端末（タブレットやスマートフォン等）、または、いわゆるデジタルサイネージであり広告表示媒体として用いられるディスプレイなどが挙げられる。図１に示すように、学校系統図表示装置Ｓは、通信部１、表示部２、操作部３、記憶部４、及び制御部５等を備えて構成され、これらの構成要素はバス６に接続されている。
【００２５】
通信部１は、有線または無線によりネットワーク（図示せず）に接続してサーバ等と通信を行う。表示部２は、各種情報を表示するための画面を有し、制御部５からの表示指令に応じて、各種情報を画面に表示する。操作部３は、ユーザからの操作指示を受け付け、受け付けた操作に応じた信号を制御部５へ出力する。操作部２には、キーボード及びマウス等が適用される。なお、表示部２及び操作部３には、各種情報を画面に表示する表示機能と、人の指やペン等による操作を受け付ける入力機能とを有するタッチパネルが適用されてもよい。
【００２６】
記憶部４は、例えばハードディスクドライブ等からなり、ＯＳ（オペレーティングシステム）、及び本発明の学校系統図表示プログラム等を記憶する。記憶部４は、本発明における記憶手段の一例である。学校系統図表示プログラムは、コンピュータとしての制御部５に、後述する学校系統図表示処理を実行させるプログラムである。学校系統図表示プログラムは、アプリケーションとして、所定のサーバからダウンロードされてもよいし、ＣＤ、ＤＶＤ等の記録媒体に記憶されて提供されてもよい。学校系統図表示プログラムが学校系統図表示装置Ｓにインストールされることで、記憶部４には、学校系統図データベース（ＤＢ）４１、及び翻訳辞書データベース４２（ＤＢ）が生成される。
【００２７】
学校系統図データベース４１には、年齢を示す異なる複数の年齢値と、学年を示す異なる複数の学年値と、教育制度を示す複数の教育制度名と、学校制度を示す複数の学校制度名とを年齢値毎に対応付け、さらに、学校制度の就学者数または就学者数の割合（比率）を学校制度名毎且つ年齢値毎に対応付けた対応付けデータが複数の国毎に登録されている。
【００２８】
ここで、年齢値は、例えば、４歳〜２１歳の範囲内で表される（国毎に異なることもある）。学年値は、例えば、１学年〜１３学年の範囲内で表される（国毎に異なることもある）。教育制度（言い換えれば、教育制度名）は、例えば、就学前教育、初等教育、中等教育、高等教育等に区分される。国によっては、中等教育は、さらに、前期中等教育と後期中等教育とに区分される場合もある。学校制度（言い換えれば、学校制度名）は、例えば、初等学校、中等学校、小学校、中学校、高校、大学等に区分される（国毎に異なることもある）。学校制度の就学者数とは、就学する（学校に通う）児童や生徒の数を意味し、学校制度名毎（例えば、初等学校、中等学校、小学校等毎）且つ年齢値毎（例えば、５歳、６歳、７歳等毎）に集計される。学校制度の就学者数の割合とは、学校制度の就学者数を就学人口（就学可能な児童や生徒の全数）で割った値（＝就学者数／就学人口）であり、学校制度毎且つ年齢値毎に集計される。
【００２９】
なお、対応付けデータには、就学人口を年齢値毎に対応付けたデータが含まれてもよい。また、対応付けデータには、義務教育であるか否かを年齢値毎に対応付けたデータが含まれてもよい。また、対応付けデータには、教育課程を示す異なる複数の教育課程名を学校制度名毎に対応付けたデータが含まれてもよい。教育課程は、例えば、一般教育、職業教育、芸術コース等に区分される（国毎に異なることもある）。
【００３０】
図２は、学校系統図データベース４１に登録された対応付けデータの一例を示す図である。図２の例では、Ａ国（例えば、英国）に対応する対応付けデータと、Ｂ国に対応する対応付けデータとが区別されて登録されているが、実際には、これら以外の多くの国に対応する対応付けデータが登録されることになる。このような対応付けデータは、複数の国間で統一されたフォーマットで作成されており、これによって、複数の国の学校系統図を統一されたフォーマットで表示することが可能となる。図２に示すＡ国に対応する対応付けデータでは、５歳〜１７歳までの各年齢値に対して、それぞれの年齢値に応じた学年値（１学年〜１３学年）が対応付けられている。一方、図２に示すＢ国に対応する対応付けデータでは、６歳〜１８歳までの各年齢値に対して、それぞれの年齢値に応じた学年値（０学年〜１２学年）が対応付けられている。
【００３１】
なお、国によっては、年齢値に対して学年値が対応付けられない場合もある。また、図２に示すＡ国に対応する対応付けデータでは、５歳〜１３歳までの各年齢値（１学年〜９学年までの各学年値）に対して、義務教育であることを示すフラグ“１”が対応付けられている（つまり、Ａ国では、１学年〜９学年までが義務教育期間である）。一方、図２に示すＢ国に対応する対応付けデータでは、７歳〜１５歳までの各年齢値（１学年〜９学年までの各学年値）に対して、義務教育であることを示すフラグ“１”が対応付けられている。
【００３２】
また、図２に示すＡ国に対応する対応付けデータでは、４歳〜２１歳までの各年齢値に対して、それぞれの年齢値に応じた教育制度名が対応付けられている。一方、図２に示すＢ国に対応する対応付けデータでは、６歳〜２１歳までの各年齢値に対して、それぞれの年齢値に応じた教育制度名が対応付けられている。また、図２に示すＡ国に対応する対応付けデータでは、５歳〜２１歳までの各年齢値に対して、それぞれの年齢値に応じた学校制度の複数の区分名（学校制度名）が対応付けられている。例えば、５歳に対しては、上級小学校（区分名１）、初等学校前期（区分名２）、初等学校（区分名３）、基礎学校（区分名４）、及び小学校（区分名５）というように、５種類の学校名が対応付けられている。これは、Ａ国における５歳の子供が就学する学校は、これらの５種類の学校の中から選択可能であることを意味する。一方、図２に示すＢ国に対応する対応付けデータでは、６歳〜２１歳までの各年齢値に対して、それぞれの年齢値に応じた学校制度の１つの区分名（学校制度名）が対応付けられている。
【００３３】
また、図２に示すＡ国に対応する対応付けデータでは、各年齢値に対応付けられた各学校制度に対して、就学者数の割合（％）が対応付けられている。例えば、５歳に対して対応付けられた上級小学校には８％、初等学校前期には３０％、初等学校には１０％、基礎学校には１０％、及び小学校には３９％が、それぞれ対応付けられており、各就学者数の割合（％）を合計した総合割合（％）は９７％になっている。この例から、Ａ国における５歳の子供は、小学校に就学する割合が最も高いことが分る。このような就学者数またはその割合は、後述するように、学校制度名が配置された平面図を表示させるために用いられる。また、このような就学者数及びその割合は、例えば、当該国において公表された過去（例えば前１年間）の統計データから特定される。なお、各年齢値に対応付けられた各学校制度に対して、就学者数が対応付けられて登録されてもよい。一方、図２に示すＢ国に対応する対応付けデータでは、各年齢値には学校制度が１つずつ対応付けられているので、各学校制度に対して１つずつ就学者数の割合（％）が対応付けられている。
【００３４】
なお、図２には示していないが、国によっては、対応付けデータには、就学者の割合と同じフォーマットで、各年齢値に対応付けられた各学校制度に対して教育課程名が対応付けられる。また、国によっては、学校制度において互いに関連する複数の学校が存在する場合もある。例えば、互いに関連する学校の例としては、低学年から高学年にかけて一貫して教育を行う学校（例えば、中等学校と一貫中等学校、或いは高校と一貫高校などのように縦方向（時間軸方向）に関連する学校）や、同一の運営体制下にあり、互いに提携する学校（例えば、横方向に関連する学校）が挙げられる。学校制度において互いに関連する複数の学校に対応する学校制度名は、識別子等を介して互いに対応付けられて学校系統図データベース４１に登録されることになる。
【００３５】
翻訳辞書データベース４２には、学校系統図データベース４１に登録される学校制度名を複数の国の言語（例えば、日本語、英語、フランス語、ドイツ語、中国語等）で表したワードが、学校制度名毎に対応付けられて登録される。例えば、学校系統図データベース４１に日本語で登録されている「中等教育学校」と、これを英語を表した「Public School」が対応付けられて登録される。また、学校系統図データベース４１に日本語で登録されている「上級小学校」と、これを英語を表した「Preparatory School」が対応付けられて登録される。また、学校系統図データベース４１に日本語で登録されている「第６年カレッジ」と、これを英語を表した「Sixth Form College」が対応付けられて登録される。
【００３６】
制御部５は、コンピュータとしてのＣＰＵ（Central Processing Unit）、ＲＯＭ（Read Only Memory）、及びＲＡＭ（Random Access Memory）等により構成される。制御部５は、学校系統図表示プログラムの実行により、本発明の表示制御手段として機能し、学校系統図表示処理を行う。この学校系統図表示処理において、制御部５は、例えば、ユーザにより操作部３を介して、国の選択及び当該国の学校系統図の表示指示があった場合、当該ユーザにより選択された国に対応する対応付けデータを参照して、複数の年齢値を昇順または降順で表示部２の画面上の縦方向（第１方向の一例であり、時間軸方向）に並べて表示させると共に、当該年齢値に対応付けられた各学年値及び各教育制度名を画面上の当該年齢値に対応する位置に表示させる（対応付けデータによっては学年値が表示されない場合もある）。さらに、制御部５は、対応付けデータを参照して、各年齢値に対応付けられた各学校制度名が配置される各平面図（例えば、縦線と横線とにより囲まれる矩形状の図形）を画面上の当該年齢値に対応する位置に表示させる。このとき、制御部５は、画面上の縦方向と直交する横方向（第２方向の一例）における平面図の寸法であって、学校制度名毎且つ年齢値毎に対応付けられた就学者数または就学者数の割合に応じた寸法で各学校制度名を配置する各平面図を表示させる。これにより、ユーザにより選択された国の学校系統図が画面に表示される。なお、縦方向と横方向とを逆転させてもよい。
【００３７】
図３は、Ａ国に対応する対応付けデータに基づき画面に表示された学校系統図の一例を示す図であり、図４は、Ｂ国に対応する対応付けデータに基づき画面に表示された学校系統図の一例を示す図である。図３及び図４に示すように、複数の国の学校系統図を統一されたフォーマットでコンパクトに表示することができる。
【００３８】
図３に示す学校系統図５１には、４歳〜２１歳までの各年齢値が上部から下部に向かって降順で縦方向に並べて表示され、当該年齢値に対応付けられた各学年値（１学年〜１３学年）が、それぞれの年齢値に対応する位置（図３の例では、右斜め上横の近傍位置）における四角枠（四角欄）内に表示され、且つ、当該年齢値に対応付けられた教育制度名（就学前教育、初等教育、中等教育、高等教育）が、それぞれの年齢値に対応する位置（図３の例では、右斜め上横の位置（学年値が表示される四角枠を挟む場合もある））における四角枠内に表示されている。なお、年齢値間で共通する教育制度名は、図３に示すように、四角枠内に１つ表示されればよい。
【００３９】
さらに、図３に示す学校系統図５１には、各年齢値に対応付けられた各学校制度名が配置される各平面図が、それぞれの年齢値に対応する位置（図３の例では、教育制度名が表示される四角枠を挟んで右横方向の位置）に表示されている。このように表示される各平面図の横方向における寸法は、学校制度名毎且つ年齢値毎に対応付けられた就学者数の割合に応じた長さ（つまり、当該割合が大きいほど長くなるよう）になっている。
【００４０】
例えば、制御部５は、年齢値毎に対応付けられた総合割合に応じて、平面図全体の横方向の寸法を年齢値毎に決定する（このときは、画面には平面図は表示されていない）。例えば、図３において、平面図を表示するための領域ＡＲの横方向の最大寸法（画面サイズによって異なり、例えば、Ｘピクセル）を１００％とすると、年齢値毎に対応付けられた総合割合が９７％の場合は平面図全体の横方向の寸法は０．９７×Ｘピクセルに決定され、年齢値毎に対応付けられた総合割合が７９％の場合は平面図全体の横方向の寸法は０．７９×Ｘピクセルに決定される。
【００４１】
そして、制御部５は、学校制度毎に対応付けられた就学者数の割合に応じて、平面図全体の横方向の寸法を按分して各学校制度名に対応する平面図毎の横方向の寸法を年齢値毎に決定する。例えば、図２に示すＡ国に対応する対応付けデータにおいて、年齢値が５歳の場合、上級小学校、初等学校前期、初等学校、基礎学校、及び小学校それぞれに対応付けられた就学者数の割合８％、３０％、１０％、１０％、及び３９％に応じて、平面図全体の横方向の寸法が按分されることで、各学校制度名に対応する平面図毎の横方向の寸法が、それぞれ、０．０８×Ｘピクセル、０．３×Ｘピクセル、０．１×Ｘピクセル、０．１×Ｘピクセル、０．３９×Ｘピクセルに決定される。このように、各学校制度名に対応する平面図毎の横方向の寸法が年齢値毎に決定される。なお、図４に示す学校系統図のように、１年齢値に対して１つの学校制度名が対応付けられている場合、上記平面図全体の横方向の寸法が按分される必要はない。
【００４２】
そして、制御部５は、学校制度名が対応付けられた年齢値の全てについて平面図の横方向の寸法を決定すると、年齢値毎の平面図全体の横方向の寸法と、年齢値毎の各平面図の横方向の寸法とに従って、上記領域ＡＲ上に縦線（実線）及び横線（実線）を描画することで学校制度名毎の平面図を表示させる。つまり、縦線（実線）及び横線（実線）は、学校制度名毎の平面図の輪郭を画するための線である。こうして平面図が表示されると、制御部５は、それぞれの平面図に対応する学校制度名を、それぞれの平面図上に配置して表示させる。図３の例では、学校制度名は日本語で表示されているが、例えばユーザにより操作部３を介して言語指定がなされた場合、制御部５は、表示されている学校制度名を、翻訳辞書データベース４２を用いて、指定された言語（例えば英語）に変換（翻訳）して表示する。或いは、学校制度名は、例えば日本語と英語とで併記表示されてもよい。
【００４３】
以上のように表示される学校系統図における文字、線、及び四角枠内の領域は、教育制度毎に色分けされる。例えば、初等教育を表す文字が配置される四角枠を構成する線、当該四角枠内の領域、当該初等教育に対応付けられた学年値を表す文字、当該初等教育に対応付けられた年齢値を表す文字、当該初等教育に対応付けられた学校制度名を表す文字及び当該学校制度名に対応する平面図の輪郭を画する線等は、オレンジ色で表示される。一方、中等教育を表す文字が配置される四角枠を構成する線、当該四角枠内の領域、当該中等教育に対応付けられた学年値を表す文字、当該中等教育に対応付けられた年齢値を表す文字、当該中等教育に対応付けられた学校制度名を表す文字及び当該学校制度名に対応する平面図の輪郭を画する線等は、ピンク色で表示される。一方、高等教育を表す文字が配置される四角枠を構成する線、当該四角枠内の領域、当該高等教育に対応付けられた学年値を表す文字、当該高等教育に対応付けられた年齢値を表す文字、当該高等教育に対応付けられた学校制度名を表す文字及び当該学校制度名に対応する平面図の輪郭を画する線等は、青色で表示される。
【００４４】
なお、表示対象となる学校制度名の中に、互いに関連する複数の学校に対応する学校制度名がある場合（つまり、表示対象となる学校制度名の中で、互いに関連する複数の学校に対応する学校制度名が登録されている場合）、制御部５は、上記領域ＡＲ上に縦線及び横線を描画するときに、互いに関連する学校制度名に対応する平面図間の境界となる線を、図３の符号５１aに示すように、破線で描画する。これにより、ユーザは、その国において互いに関連する学校制度を一見して把握することができる。また、対応付けデータにおいて、年齢値に対して義務教育であることを示すフラグ“１”が対応付けられている場合、制御部５は、当該年齢値に対応付けられた学校制度名を配置する平面図の全部または一部を、図３の符号５１ｂに示すように、強調表示（例えば網掛け表示）させる。これにより、ユーザは、その国の義務教育期間を一見して把握することができる。また、低学年から高学年にかけて一貫して教育を行う学校の他にも、例えば、図３に示すように、初等学校と中等学校というような上位と下位の教育制度の関連性（縦方向の関連性）や、小学校と中学校と高校というような上位から下位の教育制度の関連性（縦方向の関連性）を対応付けデータで定義してもよい。初等学校と中等学校とからなる教育制度の関連性は、初等学校に通う生徒は、その後に中等学校に通うことになるが、高校には通わないことを示す。また、小学校と中学校と高校とからなる教育制度の関連性は、小学校に通う生徒は、その後に中学校及び高校に通うことになるが、中等学校に通わないことを示す。このように定義さされた対応付けデータを用いることで学校系統図を表示のチェックを簡易に行うことができる。また、図３の例では、学校系統図５１の下部に、参考ＵＲＬ表示部５２が表示されている。参考ＵＲＬ表示部５２に表示されたＵＲＬが、ユーザにより操作部３を介して指定された場合、例えば、Ｗｅｂブラウザにより当該ＵＲＬからＡ国に対応する対応付けデータに関連する情報が掲載されたＷｅｂページやドキュメントが取得される。
【００４５】
［２. 学校系統図表示装置Ｓの動作］
次に、本実施形態に係る情報提供システムＳの動作について、図５等を用いて説明する。図５は、制御部５により行われる学校系統図表示処理の一例を示すフローチャートである。図５に示す処理は、例えばユーザにより操作部３を介して学校系統図表示プログラムの起動指示があった場合に開始される。
【００４６】
図５に示す処理が開始されると、制御部５は、学校系統図データベース４１に登録されている複数の国名を選択可能に画面に表示させ、ユーザにより操作部３を介して選択（例えば、マウスでクリック、または指等でタップ）された国名に対応する対応付けデータを学校系統図データベース４１から取得する（読み込む）する（ステップＳ１）。次いで、制御部５は、ステップＳ１で取得した対応付けデータを参照して、上述したように、年齢値、学年値、教育制度名、及び学校制度名が配置される平面図等を含む学校系統図等を画面に表示させると共に、ユーザにより選択された国名を画面に表示させる（ステップＳ２）。こうして表示された学校系統図上に表示されている年齢値、学年値、教育制度名、学校制度名、及び学校制度名を配置する平面図は、ユーザにより選択可能になっている。例えば、制御部５は、画面上の何れかの位置が選択（例えば、マウスでクリック、または指等でタップ）されたことを検出し、検出された位置の座標から何が選択（例えば、どの年齢値）がされたかを判定できるようになっている。
【００４７】
次いで、制御部５は、表示された複数の年齢値から何れかの年齢値がユーザにより選択されたか否かを判定する（ステップＳ３）。制御部５は、ユーザにより年齢値が選択されたと判定した場合（ステップＳ３：ＹＥＳ）、当該選択された年齢値に対応付けられた就学者数または就学者数の割合（例えば、上述した総合割合）を画面に表示（例えば、ポップアップ表示）させる（ステップＳ４）。なお、ステップＳ１で取得された対応付けデータにおいて、上記選択された年齢値に対して複数の学校制度名が対応付けられている場合、制御部５は、各学校制度名と、学校制度名それぞれに対応付けられている就学者数または就学者数の割合とを一覧表示させてもよい。一方、制御部５は、ユーザにより年齢値が選択されていないと判定した場合（ステップＳ３：ＮＯ）、ステップＳ５へ進む。
【００４８】
ステップＳ５では、制御部５は、表示された複数の学年値から何れかの学年値（学年値が配置された四角枠でもよい）がユーザにより選択されたか否かを判定する。制御部５は、ユーザにより学年値が選択されたと判定した場合（ステップＳ５：ＹＥＳ）、当該選択された学年値に対応する学校制度名、または当該学校制度名が配置された平面図を強調表示させる（ステップＳ６）。例えば、学年値として３学年が選択された場合、制御部５は、図２に示すＡ国に対応する対応付けデータにおいて３学年に対して対応付けられた上級小学校、初等学校後期、初等学校、基礎学校、及び小学校が強調表示（例えば、文字サイズを大きくして表示、文字色を明るい色に変えて表示、または文字を点滅させて表示）させる。或いは、この場合、制御部５は、例えば、３学年に対して対応付けられた上級小学校、初等学校後期、初等学校、基礎学校、及び小学校それぞれが配置された平面図を強調表示（例えば、ハイライト表示）させる。一方、制御部５は、ユーザにより学年値が選択されていないと判定した場合（ステップＳ５：ＮＯ）、ステップＳ７へ進む。
【００４９】
ステップＳ７では、制御部５は、表示された複数の学校制度名から何れかの学校制度名がユーザにより選択されたか否かを判定する。制御部５は、ユーザにより学校制度名が選択されたと判定した場合（ステップＳ７：ＹＥＳ）、当該選択された学校制度名に対応付けられた教育課程名を画面に表示（例えば、選択された学校制度名が配置された平面図上に、教育過程名（例えば芸術コース等））させる（ステップＳ８）。なお、選択された学校制度名に対して複数の教育課程名が対応付けられている場合、当該複数の教育課程名（例えば、職業教育コース、芸術コース）を併記表示させる。一方、制御部５は、ユーザにより学校制度名が選択されていないと判定した場合（ステップＳ７：ＮＯ）、ステップＳ９へ進む。
【００５０】
ステップＳ９では、制御部５は、表示された複数の平面図から何れかの平面図がユーザにより選択されたか否かを判定する。制御部５は、ユーザにより平面図が選択されたと判定した場合（ステップＳ９：ＹＥＳ）、当該選択された平面図に配置された学校制度名に対して縦方向に連続する他の学校制度名（つまり、選択された平面図の学校制度名に対応付けられた年齢値の前後の年齢値に対応付けられた学校制度名）、または当該他の学校制度名が配置された平面図を強調表示させる（ステップＳ１０）。なお、制御部５は、選択された平面図に配置された学校制度名、及び当該学校制度名が配置された平面図をも強調表示させてもよい。一方、制御部５は、ユーザにより平面図が選択されていないと判定した場合（ステップＳ９：ＮＯ）、ステップＳ１１へ進む。
【００５１】
ステップＳ１１では、制御部５は、ユーザから終了指示があったか否かを判定する。制御部５は、終了指示がないと判定した場合（ステップＳ１１：ＮＯ）、ステップＳ３に戻る。一方、制御部５は、終了指示があったと判定した場合（ステップＳ１１：ＹＥＳ）、図５に示す処理を終了する。
【００５２】
図５に示す処理により画面に表示された学校系統図は、複数の年齢値を昇順または降順で縦方向に並べて表示すると共に、前記年齢値に対応付けられた各教育制度名を当該年齢値に対応する位置に表示し、且つ前記年齢値に対応付けられた各学校制度名が配置される各平面図を表示し、前記第１方向と直交する第２方向における前記平面図の寸法であって、前記学校制度名に対応付けられた就学者数または就学者数の割合に応じた寸法で前記平面図を表示するものである。当該学校系統図は、印刷物（学校系統図表示媒体の一例）として印刷され、また、画像データとして他の表示機器（学校系統図表示媒体の一例）や、デジタルサイネージ等のディスプレイ（学校系統図表示媒体の一例）へ転送され表示される。
【００５３】
以上説明したように、上記実施形態によれば、学校系統図表示装置Ｓは、例えばユーザにより選択された国に対応する対応付けデータを参照して、複数の年齢値を昇順または降順で画面上の縦方向に並べて表示させると共に、当該年齢値に対応付けられた各学年値及び各教育制度名を画面上の当該年齢値に対応する位置に表示させ、さらに、各年齢値に対応付けられた各学校制度名が配置される各平面図を画面上の当該年齢値に対応する位置に表示させる。このとき、学校系統図表示装置Ｓは、画面上の縦方向と直交する横方向における平面図の寸法であって、学校制度名毎且つ年齢値毎に対応付けられた就学者数または就学者数の割合に応じた寸法で各学校制度名を配置する各平面図を表示させる。これにより、ユーザが所望する国の教育制度や学校制度等を年齢に沿って表す学校系統図を見易く、且つ分りやすく当該ユーザに提示することができる。
【００５４】
なお、上記実施形態において、制御部５は、複数の国それぞれの学校系統図を１画面上に並べて表示（例えば、図３に示すＡ国の学校系統図と、図４に示すＢ国の学校系統図とを横に並べて表示）させるように構成すれば、ユーザは、複数の国の学校系統を相互に一見して容易に比較することができる。
【００５５】
また、上記ステップＳ３の変形例として、制御部５は、表示された複数の年齢値から何れかの年齢値がユーザにより選択された場合に、ステップＳ１で選択された国名に対応する対応付けデータと、当該国名とは異なる他の国名に対応する対応付けデータとを参照して、選択された国名と、選択された国名とは異なる他の国名とのそれぞれに対応し、且つ年齢値に対応付けられた就学者数または就学者数の割合を比較可能に表示させる。これにより、ユーザは、複数の国における年齢値毎の就学者数または就学者数の割合の比較を簡易に行うことができる。なお、異なる他の国名は、ユーザにより選択（例えば、ステップＳ１において、ユーザが２つの国名を選択）されてもよいし、或いは、予め設定（例えば、ユーザの母国が設定）されてもよい。
【００５６】
また、上記ステップＳ５の変形例として、制御部５は、表示された複数の学年値から何れかの学年値がユーザにより選択された場合に、ステップＳ１で選択された国名に対応する対応付けデータと、当該国名とは異なる他の国名（上記と同様）に対応する対応付けデータとを参照して、選択された国名と、選択された国名とは異なる他の国名とのそれぞれに対応し、且つ選択された学年値に対応する学校制度名を比較可能に表示させる。これにより、ユーザは、複数の国における学年値毎の学校制度の比較を簡易に行うことができる。
【００５７】
また、上記ステップＳ７の変形例として、制御部５は、表示された複数の学校制度名から何れかの学校制度名がユーザにより選択された場合に、ステップＳ１で選択された国名に対応する対応付けデータと、当該国名とは異なる他の国名（上記と同様）に対応する対応付けデータとを参照して、選択された国名と、選択された国名とは異なる他の国名とのそれぞれに対応し、且つ選択された学校制度名に対応付けられた教育課程名を比較可能に表示させる。これにより、ユーザは、複数の国における学校制度毎の教育課程の比較を簡易に行うことができる。
【００５８】
また、上記ステップＳ９の変形例として、制御部５は、表示された複数の平面図から何れかの平面図がユーザにより選択された場合に、ステップＳ１で選択された国名に対応する対応付けデータと当該国名とは異なる他の国名に対応する対応付けデータとを参照して、選択された国名と、選択された国名とは異なる他の国名とのそれぞれに対応し、且つ選択された平面図に配置された学校制度名を比較可能に表示させる。これにより、ユーザは、複数の国における学校制度の比較を簡易に行うことができる。
【符号の説明】
【００５９】
１  通信部
２  表示部
３  操作部
４  記憶部
５  制御部
Ｓ  学校系統図表示装置
【図１】
2016218669.tif 000003
【図２】
2016218669.tif 000004
【図５】
2016218669.tif 000005
【図３】
2016218669.tif 000006
【図４】
2016218669.tif 000007